(57)【要約】【課題】  ノズル噴射角調整機構を別に用意する必要がなく、車両によって異なる洗浄範囲に容易に適合可能なスクリーン洗浄ノズルを提供する。【解決手段】  自動車のフロントガラス等のスクリーン洗浄ノズルで、洗浄液供給用の接続部品及びノズルチップ収容用の区画室を備えている。ノズルチップはジェット噴射部を形成し、互いに封止状態で当接して区画室内に挿入されたときに流路を形成する二つの半割体からなる交換可能な挿入部品として形成されている。【選択図】  図１
2005230820.tif 000002
【特許請求の範囲】
【請求項１】
ノズルチップを収容した区画室及びノズルチップへ洗浄液を供給するための接続部品を備え、ノズルチップが洗浄液噴射用の少なくとも一つの流路を有しているスクリーン洗浄ノズルにおいて、ノズルチップ（３）が、互いに封止状態に当接して一つに組み合わされたときに前記流路（１０）を形成する少なくとも二つの分離合わせ面を有することを特徴とするスクリーン洗浄ノズル。
【請求項２】
ノズルチップ（３）が交換可能な挿入部品として形成されていること特徴とする請求項１に記載のスクリーン洗浄ノズル。
【請求項３】
ノズルチップ（３）が、区画室（６）に挿入される前に互いに組み合わされて一体となる二つの相補的な半割体（３ａ，３ｂ）からなることを特徴とする請求項１又は２に記載のスクリーン洗浄ノズル。
【請求項４】
少なくとも一方の半割体（３ａ，３ｂ）が少なくとも部分的に前記流路（１０）を形成する少なくとも一つのチャンネル溝（９）を備えたことを特徴とする請求項１〜３のいずれか１項に記載のスクリーン洗浄ノズル。
【請求項５】
複数の洗浄液ジェット流を形成する少なくとも二つの流路（１０）を備えたことを特徴とする請求項１〜４のいずれか１項に記載のスクリーン洗浄ノズル。
【請求項６】
各流路（１０）の軸線が交差することなく相互に拡がる複数のジェット流を形成するように指向されていることを特徴とする請求項５に記載のスクリーン洗浄ノズル。
【請求項７】
チャンネル溝（９）がシール面（１１）によって囲まれていることを特徴とする請求項１〜６のいずれか１項に記載のスクリーン洗浄ノズル。
【請求項８】
ノズルチップ（３）の各半割体が可撓性材料帯片（７）によって相互に蝶番結合されていることを特徴とする請求項３〜７のいずれか１項に記載のスクリーン洗浄ノズル。
【請求項９】
ノズルチップ（３）を構成する各半割体（３ａ，３ｂ）が突起（１９）とその嵌合穴（２０）からなる位置合わせ構造を有することを特徴とする請求項３〜８のいずれか１項に記載のスクリーン洗浄ノズル。
【請求項１０】
チャンネル溝（９）が各半割体の各々の分離合わせ面に設けられ、各半割体の相補的なチャンネル溝（９）が組み立て状態における流路（１０）を形成していることを特徴とする請求項３〜９のいずれか１項に記載のスクリーン洗浄ノズル。
【請求項１１】
ノズルチップ（３）の分離合わせ面（８）)が流路（１０）の軸線と交差していることを特徴とする請求項１０に記載のスクリーン洗浄ノズル。
【請求項１２】
ノズルチップ（３）の一方の半割体が該半割体の全体厚みに亘って延在して流体室（１５）を形成する中央開口部（１３）を有することを特徴とする請求項３〜１１のいずれか１項に記載のスクリーン洗浄ノズル。
【請求項１３】
ノズルチップ（３）が組み立て時の適正な向きを保証する挿入ガイドを備えていることを特徴とする請求項１〜１２のいずれか１項に記載のスクリーン洗浄ノズル。
【発明の詳細な説明】
【技術分野】
【０００１】
本発明は、ノズルチップを収容した区画室及びノズルチップへ洗浄液を供給するための接続部品を備え、ノズルチップが洗浄液噴射用の少なくとも一つの流路を有しているスクリーン洗浄ノズルに関するものである。
【背景技術】
【０００２】
この種のスクリーン洗浄ノズルの公知例は例えば特許文献１に記載されている。そこには、一体化構造のノズルチップを有する風防用洗浄液噴射装置が開示されている。この洗浄液噴射装置は自動車のフロントガラス又はリアウィンドウにジェット流をスプレーするために用いられ、スプレー水のための接続管路とノズルチップ組込用の区画室とを有するハウジングからなっている。ノズルチップは中央開口部を備え、この中央開口部を通して水が流れると共に、この中央開口部から外方へ向けて扇状に数本のチャンネル溝が導かれている。これらノズルチップ内に形成されたチャンネル溝は、ノズルチップが区画室に水密に組み込まれた状態では先端側に向けて開口しており、他端側では区画室の内壁によって塞がれている。このスクリーン洗浄ノズルのハウジングは、硬質プラスチック材を射出成形することによって製造される。ノズルチップは軟質弾性熱可塑性プラスチック材からなり、ハウジングと共に同じ金型内で一緒に射出成形される。
【特許文献１】米国特許第６５２０４２４号明細書
【０００３】
上述のような構成の従来のスクリーン洗浄ノズルは、ジェット流の噴射角が単一の平面内でしか調整できないという欠点がある。車両によって異なる洗浄範囲に対するノズルの適合性を増すには、風防に対して噴射されるスプレー水のジェット流の噴射角を所望の衝突角に応じて調整するための手段が必要である。ところが、ノズルチップはノズルハウジングに対して固定されているので、ノズルハウジングを枢動可能に装着する必要がある。これはコスト高と構造の複雑化を招く結果となる。
【発明の開示】
【発明が解決しようとする課題】
【０００４】
従って本発明が解決しようとする課題は、完成ノズルに対して高コストの噴射角調整機構を用意する必要がなく、車両によって異なる洗浄範囲に容易に適合させることのできるスクリーン洗浄ノズルを提供することにある。
【課題を解決するための手段】
【０００５】
この課題を解決するための本発明によるスクリーン洗浄ノズルは、ノズルチップを収容した区画室及びノズルチップへ洗浄液を供給するための接続部品を備え、ノズルチップが洗浄液噴射用の少なくとも一つの流路を有しているタイプのものであり、特にノズルチップは、区画室へ組み込むために互いに封止状態に当接して一つに組み合わされたときに前記流路を形成する少なくとも二つの分離合わせ面を有している。
【０００６】
ノズルチップは、区画室に対する挿入と抜去が可能な交換挿入部品として構成することが望ましく、それによりノズルから出てくる洗浄液ジェット流の噴射角を単純にノズルチップの交換で種々選択できるようになる。
【０００７】
洗浄液を噴射するための流路はノズルチップの分離合わせ面の端から端までに亘って形成することができ、従ってノズルチップは、複雑で精巧なコアピンを必要とすることなく単純な二分割射出成形金型で熱可塑性プラスチック材を射出成形することにより製造することができる。本発明による構成により、種々の複合噴射角をもつ複数の流路が実現するように単一のノズルチップを製造できることは当業者にとって明白である。
【０００８】
ノズルチップは、相互に一体化できる複数のブロック状エレメントを組み合わせて構成してもよいが、区画室に挿入したときに相互に一体化して単一ユニットとなるような二つの相補的な半割体からなるものであることが好ましい。
【０００９】
極めて単純な実施形態ではこれら半割体のうちの少なくとも一方が前記流路の少なくとも一部を形成する少なくとも一つのチャンネル溝を備えているが、ノズルチップは少なくとも二つの流路を備えて複数のジェット流を形成するようになっていてもよい。
【００１０】
本発明による好適な一実施形態においては、これら流路の軸線は互いに交差することなく下流側で拡がる複数のジェット流を形成するように指向されている。即ち、ノズルチップの分離合わせ面は、各流路の軸線が互いから反れるように構成することができる。単一ピース構成のノズルチップの場合には、このような各流路の方向付けは個々の流路の形成に可動コアピン付きの複合成形金型が必要となるはずである。
【００１１】
チャンネル溝はシール面によって囲まれていることが好ましい。これらのシール面はチャンネル溝を囲むように盛り上がった面であり、区画室へのチップの挿入に続いてシール面同士が当接されることによってチップが圧縮されると、シール面自体が封止を形成するようになっている。
【００１２】
本発明によるスクリーン洗浄ノズルの本体部分は、比較的硬質の熱可塑性プラスチック材、例えばＡＢＳまたはＰＯＭの射出成形によって得ることができる。ノズルチップは、ポリアミド又はそれよりも軟質の材料を射出成形することによって得ることができる。
【００１３】
本発明による好ましい実施例においては、ノズルチップの半割体は可撓性材帯片によって互いに蝶番状に結合されており、これにより結合された半割体が蝶番で畳まれるとノズル本体部分の区画室内に嵌入可能な単一ユニットを形成できるようにしてある。
【００１４】
ノズルチップを構成する両半割体は、組立に際して流路の健全性が確実に保たれるように例えば突起とその嵌合穴などの位置合わせ構造を備えていてもよい。
【００１５】
好ましくはチャンネル溝は半割体の各々の分離合わせ面に設け、それにより両半割体を組み合わせたときに各半割体の相補的なチャンネル溝が流路を形成するようにする。
【００１６】
例えばチャネル溝を一方の半割体だけに設け、他方の半割体で流路をカバーすることもできるが、各々の半割体に相補的なチャンネル溝を設けてノズルチップの分離合わせ面が流路の軸線と交差するようにすることが好ましい。
【００１７】
本発明の好適な一実施形態においては、ノズルチップの一方の半割体が中央開口部を有しており、この中央開口部は該半割体の全体厚みに亘って延在し、それにより前記流路に連通した流体室を形成している。
【００１８】
ノズルチップは、組み立て時、即ちノズル本体の区画室への挿入に際してチップの適正な挿入の向きを保証するための構造的な挿入ガイドを備えていることが好ましい。
【００１９】
これに代えて、ノズルチップの外面に該チップの挿入の向きを自動組立装置に識別させるための光学認識キャラクタや文字記号を付しておいてもよい。
【発明を実施するための最良の形態】
【００２０】
本発明の特徴と利点を図示の実施形態に基づいて詳述すれば以下の通りである。
【００２１】
この実施形態に係るスクリーン洗浄ノズル１は自動車のフロントガラスまたはリアウィンドウに洗浄液をスプレー噴射するためのものである。本発明によるスクリーン洗浄ノズルは、ヘッドランプの洗浄にも用いられることは述べるまでもない。このスクリーン洗浄ノズル１は、一本又は複数本のペンシルジェット流の形態で洗浄対象スクリーンへ向けて洗浄液を噴出する組み込み形式のノズルチップを収容するためのハウジングとして構成されたノズル本体２を備えている。ノズル本体２は、好ましくは硬質熱可塑性プラスチック材の射出成形によって製造され、スプレー水などの洗浄液をノズルへ供給するための接続管を一体に備えた接続部品を構成している。図示の実施形態において、接続管の上流端には洗浄液供給ホースを接続するためのマッシュルーム形の頭部が設けられている。この接続管の内部は、ノズルチップ３を収容するための区画室６に連通した中心通孔５を形成している。
【００２２】
ノズルチップ３も熱可塑性プラスチック材の射出成形により製造されるが、ノズルチップ３を構成する熱可塑性プラスチック材は、ノズル本体２を構成する材料よりも弾力性で軟質の材料である。ノズルチップ３は、ノズル本体２の区画室６に対して挿入及び抜去可能であり、従って交換可能な部品である。
【００２３】
図５の斜視図に組み込み前の開放状態のノズルチップ３示すが、このノズルチップ３は一対の相補的形状の半割体（３ａ、３ｂ）からなり、これら半割体には蝶番の機能を果たす可撓性材料の帯片７が一体に向けられ、この帯片によって両半割体（３ａ、３ｂ）が開閉可能に連結されている。尚、両半割体は必ずしも単一部品として形成されなければならないわけではないことは当業者に明白なことである。両半割体（３ａ、３ｂ）は、図７及び図８に示すように一体形成されている可撓性材料帯片７を蝶番として折り畳むことにより単一のユニット部品とすることができる。各半割体は分離合わせ面８を有し、ノズルチップ３が折りたたまれた状態では図４に示すように分離合わせ面８同士が当接する。
【００２４】
これらの相補的な半割体（３ａ、３ｂ）の互いに対面する面内には、両半割体（３ａ、３ｂ）が折りたたまれて一体になったときに流路１０を形成する略半円形断面のチャンネル溝９がそれぞれ設けられている。流路１０の軸線は洗浄液のジェット流が下流方向で拡がり、相互に交差することはないように指向されている。後述のように接続管４を介してスプレー水が供給されると、流路１０を通して洗浄液のジェット流が風防ガラス又はヘッドランプのスクリーンに向けて放出される。
【００２５】
図示の実施形態において、各半割体（３ａ、３ｂ）には二つのチャンネル溝が設けられており、これらのチャンネル溝は、ノズルチップ３が折りたたまれた状態では２本のペンシルジェット流の形態で洗浄液を放出する二つの流路１０を形成する。これらチャンネル溝９の断面形状は半円形に限られるものではなく、例えば矩形或いはその他の任意の断面形状としてもよいことは述べるまでもない。
【００２６】
また図示の実施形態において、各半割体（３ａ、３ｂ）の分離合わせ面８は流路１０の軸線と交差しており、従ってノズルチップ３における流路は多かれ少なかれ分離合わせ面８内に延在することになる。
【００２７】
分離合わせ面の感激に対する流路１０の流体封止を保証するため、各半割体のチャンネル溝９はシール面１１によって囲まれている。図５において右側の半割体３ｂのシール面１１は分離合わせ面８よりも突出して盛り上がっている面であるのに対し、同じノズルチップ３の左側の半割体３ａのシール面１１はノズルチップ３の分離合わせ面８よりも僅かに下方に位置している。シール面１１自体の分離合わせ面１２はノズルチップ３の分離合わせ面８に対して洗浄液ジェット流の下流側へ行くほど徐々に上方へ向かって傾斜している。シール面１１の寸法と形状は、例えば当接状態におけるシール面１１同士がノズル本体の区画室６へのノズルチップ３の挿入完了に伴って互いに圧縮されるように選択されている。これにより、両流路１０間の封止もノズルチップ３の圧縮だけで形成される。
【００２８】
図５〜７において、ノズルチップ３の左側の半割体３ａには該半割体３ａの全体厚みに亘って延在する中央開口部１３が設けられている。両半割体が折り畳まれた状態では、中央開口部１３は右側の半割体３ｂにその分離合わせ面８よりも突出するように設けられた矩形の盛り上がり面１４により閉鎖される。この盛り上がり面１４と中央開口部１３によって流体室１５が形成され、この流体室は、そこに連通する流路１０のための一種のマニホルドとして機能する。流体室１５は、ノズルチップ３がノズル本体２内に嵌入された状態では接続管４の通孔５に全開状態で対面する。
【００２９】
図示しない洗浄液供給ポンプが作動すると、洗浄液供給ホースを介して接続管４の通孔５から流体室１５に流入したスプレー水などの洗浄液が流路１０を通してノズルから外部へ放出されることになる。
【００３０】
流体室１５並びに盛り上がり面１４はノズル本体の横断面で見てほぼ矩形状の断面形状を有しているが、これら流体室１５と盛り上がり面１４の断面形状は丸い形状又はその他の任意の形状としてもよいことは述べるまでもない。
【００３１】
区画室６への挿入に際して、ノズルチップ３が正しい向きに向いていることを保証するために、ノズルチップ３内で通孔５から流入してくる洗浄液の上流側に位置することになる方の半割体３ａには、その下面に二つの互いに離間したフィン１６が設けられており、ノズル本体２の対応する位置にはこれらフィンが嵌入する一対の溝１７が設けれている。これらの溝１７には、洗浄液の圧力に対してノズルチップ３を区画室内に確実に固定するための隆起ノッチ１８が設けられている。これらの隆起ノッチ１８は、ノズルチップ３が区画室６内に適正に嵌入された状態でフィン１６と係合する。区画室６内へのノズルチップ３の挿入を許容するため、挿入方向に見てフィン１６の前端部は傾斜面となっており、ノズルチップ３の挿入時にフィン１６が隆起ノッチ１８を乗り越えてスライドできるようになっている。
【００３２】
図５に示すように、半割体（３ａ、３ｂ）は突起１９とその嵌合穴２０とで構成される位置合わせ構造を備えており、区画室６への挿入前にノズルチップ６を適正に予備組み立てできるようにしてある。
【００３３】
更にフィン１６とは反対側のノズルチップ表面には、予備組み立て後のノズルチップの向きを自動組立装置に識別させるための挿入ガイドとして光学認識文字記号２１が付されている。
【図面の簡単な説明】
【００３４】
【図１】本発明によるスクリーン洗浄ノズルの側面図である。
【図２】図１に示したスクリーン洗浄ノズルの正面図である。
【図３】本発明によるスクリーン洗浄ノズルの平面図である
【図４】ノズル本体とそれに挿入すべきノズルチップを一部断面で示す拡大説明図である。
【図５】本発明によるノズルチップの組み立て前における斜視図である。
【図６】図５に示したノズルチップの平面図である。
【図７】図６のＶＩＩ−ＶＩＩ線矢視断面図である。
【図８】予備組み立て後のノズルチップの縦断面図である。
【図９】図８に示したノズルチップの平面図である。
【図１０】ノズルチップを挿入したノズル本体上部の縦断面図である。
【図１１】図１０のＸＩ−ＸＩ線矢視断面図である。
【符号の説明】
【００３５】
１：スクリーン洗浄ノズル
２：ノズル本体
３：ノズルチップ
３ａ（３ｂ）：半割体
４：接続管
５：通孔
６：区画室
７：帯片
８：分離合わせ面
９：チャンネル溝
１０：流路
１１：シール面
１２：シール面の分離合わせ面
１３：中央開口部
１４：盛り上がり面
１５：流体室
１６：フィン
１７：溝
１８：隆起ノッチ
１９：突起
２０：嵌合穴
２１：光学認識文字記号
【図１】
2005230820.tif 000003
【図２】
2005230820.tif 000004
【図３】
2005230820.tif 000005
【図４】
2005230820.tif 000006
【図５】
2005230820.tif 000007
【図６】
2005230820.tif 000008
【図７】
2005230820.tif 000009
【図８】
2005230820.tif 000010
【図９】
2005230820.tif 000011
【図１０】
2005230820.tif 000012
【図１１】
2005230820.tif 000013